(57)【要約】【課題】良好な外観を得ることができるプロジェクターを提供する。【解決手段】プロジェクター１は、複数の部分筐体（アッパーケース２Ａ、ロアーケース２Ｂ及びフロントケース２Ｃ）から構成され、空気を流通させる開口部としての排気口２３２を備える外装筐体２と、排気口２３２に取り付けられ、空気を流通させるスリットＳＬを有するルーバー７と、を備え、外装筐体２の内部に配置され、排気口２３２を介して露出して、アッパーケース２Ａ及びロアーケース２Ｂを固定する固定部５Ａ，並びに、ロアーケース２Ｂ及びフロントケース２Ｃを固定する固定部５Ｃ，５Ｄを備える。【選択図】図３
2014235393.tif 000002
【特許請求の範囲】
【請求項１】
複数の部分筐体から構成され、空気を流通させる開口部を有する外装筐体と、
前記開口部に取り付けられ、前記空気を流通させるスリットを有する蓋体と、を備え、
前記外装筐体は、前記外装筐体の内部に配置され、前記開口部を介して露出して前記複数の部分筐体のうち少なくとも２つを互いに固定する固定部を有することを特徴とするプロジェクター。
【請求項２】
請求項１に記載のプロジェクターにおいて、
前記開口部は、前記外装筐体における鉛直方向に対して交差する上面部及び下面部のうちの上面部と、前記上面部及び前記下面部を接続する正面部、背面部及び側面部との少なくともいずれかに位置することを特徴とするプロジェクター。
【請求項３】
請求項１又は請求項２に記載のプロジェクターにおいて、
前記外装筐体は、前記内部に、前記蓋体を係止する係止部を備える
ことを特徴とするプロジェクター。
【請求項４】
請求項３に記載のプロジェクターにおいて、
前記係止部は、
前記外装筐体内に移動可能に設けられたレバーと、
前記レバーに設けられ、前記レバーが所定方向に移動した際に前記蓋体と当接して、前記蓋体を係止する当接部と、
前記レバーを前記所定方向に付勢する付勢部材と、を有し、
前記蓋体は、
前記開口部に嵌合される蓋体本体部と、
前記蓋体本体部に設けられ、前記蓋体本体部が前記開口部に嵌合される際に前記レバーを押圧して、前記レバーを前記所定方向とは反対方向に移動させる押圧部と、
前記蓋体本体部から突出し、前記蓋体本体部が前記開口部に嵌合された際に前記当接部が当接されて係止される突出部と、を有することを特徴とするプロジェクター。
【請求項５】
請求項４に記載のプロジェクターにおいて、
前記蓋体は、前記蓋体本体部の外周部から前記所定方向に沿って設けられた切欠部を備え、
前記係止部は、前記レバーから前記所定方向に沿って突出し、前記蓋体が嵌合された際に、前記切欠部に挿入される突起部を備える
ことを特徴とするプロジェクター。
【請求項６】
請求項５に記載のプロジェクターにおいて、
前記突起部の先端は、前記蓋体が前記開口部に嵌合された際に、前記開口部の内側に位置し、前記スリット内に露出する
ことを特徴とするプロジェクター。
【請求項７】
請求項４から請求項６のいずれかに記載のプロジェクターにおいて、
前記蓋体は、前記蓋体本体部から前記突出部とは異なる方向に突出し、前記蓋体本体部が前記開口部に嵌合された際に、前記外装筐体の内壁に当接する顎部を備える
ことを特徴とするプロジェクター。
【請求項８】
請求項１から請求項７のいずれかに記載のプロジェクターにおいて、
前記開口部は、前記外装筐体内を流通した前記空気を外部に排出する排気口である
ことを特徴とするプロジェクター。
【発明の詳細な説明】
【技術分野】
【０００１】
本発明は、プロジェクターに関する。
【背景技術】
【０００２】
従来、複数の部材から構成される外装筐体を備えるプロジェクターが知られている（特許文献１）。
特許文献１に記載のプロジェクターは、装置本体を覆う外装筐体を備える。詳述すると、外装筐体は、装置本体の上部部分、正面部分の一部、側面部分の一部及び背面部分の一部を覆うアッパーケースと、装置本体の下部部分、正面部分の一部、側面部分の一部及び背面部分の一部を覆うロアーケースと、装置本体の正面部分の一部を覆うフロントケースと、を備える。そして、当該プロジェクターでは、下面に設けられた孔部に外部からねじを挿入し、当該ねじにより各ケースが固定されている。
【先行技術文献】
【特許文献】
【０００３】
【特許文献１】特開２００８−１２２４７２号公報
【発明の概要】
【発明が解決しようとする課題】
【０００４】
しかしながら、特許文献１に記載のプロジェクターでは、上記孔部が外部に露出していることから、プロジェクターの使用時に当該孔部及びねじが使用者の目に触れることとなり、外観が良好でないという問題がある。
【０００５】
本発明は、良好な外観を得ることができるプロジェクターを提供することを目的の１つとする。
【課題を解決するための手段】
【０００６】
本発明の一態様に係るプロジェクターは、複数の部分筐体から構成され、空気を流通させる開口部を有する外装筐体と、前記開口部に取り付けられ、前記空気を流通させるスリットを有する蓋体と、を備え、前記外装筐体は、前記外装筐体の内部に配置され、前記開口部を介して露出して前記複数の部分筐体のうち少なくとも２つを互いに固定する固定部を有することを特徴とする。
【０００７】
上記一態様によれば、少なくとも２つの部分筐体を固定する固定部が、外装筐体の内部で、かつ、開口部を介して露出する位置に設けられ、当該開口部には蓋体が取り付けられる。これによれば、開口部に蓋体を取り付けた場合に、固定部を外装筐体の外部から容易に視認できないようにすることができる。従って、良好な外観を得られる。
また、空気を流通させるスリットを有する蓋体を、開口部を閉塞する部材として利用することにより、当該部材を別途用意する必要がない。従って、部品点数の増加を抑制できる。
【０００８】
上記一態様では、前記開口部は、前記外装筐体における鉛直方向に対して交差する上面部及び下面部のうちの上面部と、前記上面部及び前記下面部を接続する正面部、背面部及び側面部との少なくともいずれかに位置することが好ましい。
【０００９】
ここで、上記開口部が下面部に設けられている場合には、ケース同士を固定する際にプロジェクターの上下を反転させる必要があり、作業が容易でないという問題がある。特に、大型のプロジェクターでは、このような問題が顕著となる。
これに対し、上記一態様によれば、開口部が、外装筐体の上面部、正面部、背面部及び側面部の少なくともいずれかに設けられている。このため、部分筐体同士を固定する際に、プロジェクターの上下を反転させる必要がない。従って、プロジェクターの組立作業を簡略化でき、作業効率を向上できる。
【００１０】
上記一態様では、前記外装筐体は、前記内部に、前記蓋体を係止する係止部を備える
ことが好ましい。
上記一態様によれば、蓋体が外装筐体に対して係止されているので、蓋体の脱落を抑制できる。
また、係止部は、固定部と同様に、外部筐体内部に設けられている。これにより、係止部を外装筐体の外部から容易に視認できないようにすることができる。従って、良好な外観を得られる。
【００１１】
上記一態様では、前記係止部は、前記外装筐体内に移動可能に設けられたレバーと、前記レバーに設けられ、前記レバーが所定方向に移動した際に前記蓋体と当接して、前記蓋体を係止する当接部と、前記レバーを前記所定方向に付勢する付勢部材と、を有し、前記蓋体は、前記開口部に嵌合される蓋体本体部と、前記蓋体本体部に設けられ、前記蓋体本体部が前記開口部に嵌合される際に前記レバーを押圧して、前記レバーを前記所定方向とは反対方向に移動させる押圧部と、前記蓋体本体部から突出し、前記蓋体本体部が前記開口部に嵌合された際に前記当接部が当接されて係止される突出部と、を有することを特徴とすることが好ましい。
上記一態様によれば、開口部に蓋体を取り付ける場合には、レバーが、押圧部により押圧され、付勢部材による付勢力に抗して、上記所定方向とは反対方向に移動する。これにより、当該開口部に蓋体を取り付けることができる。蓋体が取り付けられた状態では、当接部が突出部に当接して蓋体を係止するので、蓋体の脱落を抑制できる。一方、開口部から蓋体を取り外す場合には、レバーを上記所定方向とは反対方向に移動させることで、蓋体を取り外すことができる。従って、蓋体の着脱を確実に実施できる。
【００１２】
上記一態様では、前記蓋体は、前記蓋体本体部の外周部から前記所定方向に沿って設けられた切欠部を備え、前記係止部は、前記レバーから前記所定方向に沿って突出し、前記蓋体が嵌合された際に、前記切欠部に挿入される突起部を備えることが好ましい。
上記一態様によれば、蓋体が開口部に嵌合される際に、蓋体側に設けられた切欠部の位置を突起部の位置に合わせることで、突起部が切欠部に挿入される。これにより、外装筐体における蓋体の取り付け位置に対して、蓋体の位置合わせを行うことができ、より適切かつ容易に蓋体を外装筐体に対して係止できる。
また、上記一態様によれば、開口部に嵌合された蓋体の回転等を抑制できる。これにより、蓋体側当接部が係止部側当接部と当接可能な位置以外の位置に移動することを抑制でき、蓋体の脱落を抑制できる。
【００１３】
上記一態様では、前記突起部の先端は、前記蓋体が前記開口部に嵌合された際に、前記開口部の内側に位置し、前記スリット内に露出することが好ましい。
上記一態様によれば、蓋体が開口部に嵌合されている際に、スリットに挿入された突起部の先端は、開口部の内側に位置し、スリット内に露出している。このため、蓋体が開口部に嵌合されている状態で、例えば棒状の部材によりスリット内に露出する突起部を押圧すれば、係止本体部を上記所定方向とは反対方向（退避方向）に移動させることができる。従って、係止部による蓋体の係止を容易に解除でき、開口部に嵌合された蓋体を容易に取り外すことができる。
【００１４】
上記一態様では、前記蓋体は、前記蓋体本体部から前記突出部とは異なる方向に突出し、前記蓋体本体部が前記開口部に嵌合された際に、前記外装筐体の内壁に当接する顎部を備えることが好ましい。
上記一態様によれば、蓋体は、開口部に嵌合されている際に、突出部によって係止部の当接部に当接するとともに、顎部によって外装筐体の内壁に当接している。これにより、蓋体の脱落をより効果的に抑制できる他、てこの原理により、蓋体の着脱を容易に実施できる。
【００１５】
上記一態様では、前記開口部は、前記外装筐体内を流通した前記空気を外部に排出する排気口であることが好ましい。
ここで、吸気口の周辺には、外部の空気に含まれる塵等を取り除くフィルターが配置されるのが一般的である。すなわち、吸気口の周囲には、吸気口に設けられた蓋体の着脱機構や、フィルターが設けられている。従って、吸気口の周囲に、固定部を設けるためのスペースを確保しようとすると、プロジェクターが大型となるおそれがある。また、デザイン上の制約からスペースの確保が困難な可能性もある。一方、排気口には、フィルターを設けないことが一般的である。
上記一態様では、排気口である上記開口部の周囲に固定部及び係止部が設けられる。これにより、上記スペースの確保が容易であり、プロジェクターの大型化を抑制できる。
また、フィルター交換が実施される吸気口に取り付けられる蓋体に対して、排気口に取り付けられる蓋体が着脱される頻度は低い。従って、係止部が排気用の開口部に取り付けられる場合、蓋体の取り外しのために、係止部を操作する頻度が低い。このため、係止部を、操作性よりも外観を優先した構成とすることができる。従って、外装筐体の外部から見て、係止部が目立たない構成とでき、より良好な外観を得られる。
【図面の簡単な説明】
【００１６】
【図１】本発明の一実施形態に係るプロジェクターの斜視図。
【図２】前記実施形態におけるプロジェクターの構成を示す模式図。
【図３】前記実施形態におけるプロジェクターの正面側を拡大した斜視図。
【図４】前記実施形態におけるプロジェクターの正面図。
【図５】前記実施形態における排気口の周囲を拡大した斜視図。
【図６】前記実施形態におけるフロントケースの背面図。
【図７】前記実施形態におけるルーバーが嵌合されたフロントケースの背面図。
【図８】図７に示すフロントケース及びルーバーの断面図。
【発明を実施するための形態】
【００１７】
以下、本発明の一実施形態を図面に基づいて説明する。
［プロジェクターの概略構成］
図１は、本発明の一実施形態に係るプロジェクター１を上方正面側から見た斜視図である。
プロジェクター１は、画像情報に応じた画像をスクリーン等の被投射面（図示略）上に投射する。このプロジェクター１は、図１に示すように、外装を構成する外装筐体２と、外装筐体２内部に収納される光学ユニット３（図２参照）及び冷却装置４（図２参照）を備える。
なお、以下の説明において、光学ユニット３による画像の投射方向をＺ方向とし、Ｚ方向と直交し、互いに直交する方向をＸ方向及びＹ方向とする。また、Ｙ方向をプロジェクターが水平面上に設置された際に上側を向く方向（下面部２２から上面部２１に向かう方向）とし、Ｘ方向をプロジェクターの正面から見て右から左に向かう方向（右側面部２５から左側面部２６に向かう方向）とする。
【００１８】
外装筐体２は、金属又は合成樹脂製の筐体であり、それぞれ鉛直方向に交差する上面部２１及び下面部２２と、正面部２３、背面部２４、右側面部２５及び左側面部２６と、を備える。
それぞれＹ方向に交差する上面部２１及び下面部２２のうち、上面部２１は、Ｙ方向側に位置する面であり、下面部２２は、Ｙ方向とは反対側に位置する面である。
また、それぞれＸ方向に交差する右側面部２５及び左側面部２６のうち、左側面部２６は、Ｘ方向側に位置する面であり、右側面部２５は、Ｘ方向とは反対側に位置する面である。
【００１９】
このような外装筐体２は、複数の部分筐体を備える。具体的には、外装筐体２は、右側面部２５、左側面部２６及び背面部２４のそれぞれにおけるＹ方向側の一部、並びに、上面部２１を構成するアッパーケース２Ａを備える。また、外装筐体２は、右側面部２５、左側面部２６及び背面部２４のそれぞれにおけるＹ方向とは反対側の一部、並びに、下面部２２を構成するロアーケース２Ｂを備える。更に、外装筐体２は、正面部２３を構成するフロントケース２Ｃを備える。
【００２０】
フロントケース２Ｃには、３つの開口部がＸ方向に並列に形成されている。これらのうち、中央に位置する開口部２３１は、後述する投射光学装置３５から出射された画像を通過させる画像通過用開口部である。そして、フロントケース２Ｃの内面側で、当該開口部２３１の端縁近傍の位置には、当該開口部２３１を開閉するシャッター２３３が設けられている。
更に、開口部２３１の左右には、外装筐体２内を流通した空気を排出する略円形状の排気口２３２が形成されている。これら排気口２３２は、本発明の開口部に相当し、各排気口２３２には、本発明の蓋体に相当するルーバー７がそれぞれ着脱自在に設けられる。なお、排気口２３２の周囲の構成及びルーバー７の構造については、後に詳述する。
【００２１】
図２は、プロジェクター１の内部構成を模式的に示す図である。
冷却装置４は、外装筐体２内で空気を流通させて、プロジェクター１を構成する冷却対象を冷却する。この冷却装置４は、排気口２３２に対向配置された一対のファン４１を有する。これらファン４１は、排気口２３２から外装筐体２内部の空気を排気する。
なお、図示を省略するが、外装筐体２は、背面側に吸気口を有し、冷却装置４は、当該吸気口から外部の空気を吸引する吸気ファンを備える。そして、当該吸気ファンにより吸引された空気は、外装筐体２内を流通して、各ファン４１により外部に排出される。
【００２２】
［光学ユニットの構成］
光学ユニット３は、制御装置（図示略）による制御の下、画像情報に応じて画像を形成して投射する。
この光学ユニット３は、図３に示すように、光源ランプ３１１及びリフレクター３１２を有する光源装置３１と、照明光学装置３２と、色分離光学装置３３と、電気光学装置３４と、投射光学装置３５とを有する。
照明光学装置３２は、光源装置３１から出射された光の中心軸に対する直交面内の照度を均一化するものであり、レンズアレイ３２１，３２２、偏光変換素子３２３及び重畳レンズ３２４を有する。
色分離光学装置３３は、入射された光から、赤、緑及び青の各色光を分離するものであり、ダイクロイックミラー３３１，３３２及び反射ミラー３３３〜３３６を有する。
電気光学装置３４は、入射される光を変調するものである。この電気光学装置３４は、３つの入射側偏光板３４２、光変調装置としての３つの液晶パネル３４１（赤、緑及び青の各色光用の液晶パネルを３４１Ｒ，３４１Ｇ，３４１Ｂとする）、３つの射出側偏光板３４３、及び色合成光学装置としてのクロスダイクロイックプリズム３４４を有する。
投射光学装置３５は、クロスダイクロイックプリズム３４４で合成された画像を上記被投射面に投射する。
【００２３】
［外装筐体の構成］
図３は、正面部２３の周囲を拡大して示す斜視図である。
図４は、プロジェクター１を示す正面図である。これら図３及び図４は、後述するルーバー７が外されたプロジェクター１を図示している。
一対の排気口２３２と、当該一対の排気口２３２にそれぞれ嵌合されるルーバー７とは、基本的に、正面部２３の中心をＹ方向に通る線に対して線対称の形状を有する。このため、以下の説明では、右側の排気口２３２及びルーバー７について主に説明する。
【００２４】
外装筐体２は、図３及び図４に示すように、アッパーケース２Ａ及びフロントケース２Ｃを固定する固定部５Ａ，５Ｂと、ロアーケース２Ｂ及びフロントケース２Ｃを固定する固定部５Ｃ，５Ｄと、を内部に備える。
４つの固定部５Ａ〜５Ｄは、排気口２３２の縁部２３２Ａの内側に、当該縁部２３２Ａに沿って設けられ、後述するルーバー７が外された状態（図３及び図４に示す状態）では、排気口２３２を介して外部に露出している。
【００２５】
図５は、図３に示す右側の排気口２３２の周囲を拡大した斜視図である。図６は、フロントケース２Ｃを示す背面図である。
固定部５Ａ，５Ｂは、図４及び図５に示すように、フロントケース２Ｃの内面に設けられ、ねじ５３が挿通される貫通孔５２１（図６参照）を有する挿入部５２と、アッパーケース２Ａの内面に設けられ、貫通孔５２１を挿通したねじ５３が螺合する雌ねじ部５１と、を備える。
また、固定部５Ｃ，５Ｄは、同様に、フロントケース２Ｃの内面に設けられ、貫通孔５５１（図６参照）を有する挿入部５５と、ロアーケース２Ｂの内面に設けられた雌ねじ部５４と、を備える。
そして、アッパーケース２Ａ、ロアーケース２Ｂ及びフロントケース２Ｃを組み合わせた組立状態では、ねじ５３によってねじ止め可能に貫通孔５２１と雌ねじ部５１とは位置合わせされ、同様に貫通孔５５１と雌ねじ部５４とは位置合わせされる。
【００２６】
［係止部の構成］
図７は、ルーバー７が装着されたフロントケース２Ｃを示す背面図である。
係止部６は、図５〜図７に示すように、排気口２３２の縁部２３２Ａに沿って、フロントケース２Ｃの内側（背面側）に設けられ、ルーバー７を係止する。この係止部６は、レバー６１と、回転軸６２と、案内軸６３と、付勢部材６６と、を備える。これらのうち、回転軸６２及び案内軸６３は、フロントケース２Ｃの背面から突設されたピンである。
【００２７】
レバー６１は、板状の部材であり、一端が回転軸６２によってフロントケース２Ｃに対して軸支されている。レバー６１が、回転軸６２を中心に回動した際に、その他端が排気口２３２に接離する方向に移動する（以下、上記他端を移動端６１Ａとも称する）。
このようなレバー６１の移動端６１Ａ側には、回転軸６２を中心とする円弧状の規制溝６１１が設けられている。この規制溝６１１には、案内軸６３が挿入されている。回転軸６２、案内軸６３及び規制溝６１１は、レバー６１の回動方向及び回動量を規制する。
【００２８】
また、レバー６１は、当接部６４及び突起部６５を有する。
当接部６４は、レバー６１が、排気口２３２に向かう方向（本発明の所定方向）に回動した際に、ルーバー７に当接して、ルーバー７をフロントケース２Ｃに対して係止する。この当接部６４は、レバー６１の背面から後方に向かって突出した後、排気口２３２に向かって屈曲した略Ｌ字状の外形を有する。略Ｌ字状に屈曲した当接部６４の屈曲先端部６４１は、その正面に、先端から基端に向かうにつれて厚みが増大する傾斜面６４１Ａを有する（図５参照）。
突起部６５は、レバー６１から、排気口２３２の内側に向かう方向に突出する。
付勢部材６６は、レバー６１が排気口２３２に向かう方向、すなわち、当接部６４がルーバー７に当接する方向（図６，７の矢印Ｍで示す方向）に、レバー６１を付勢する。このような付勢部材６６としては、板バネやコイルばねを例示できる。
【００２９】
［ルーバーの構成］
ルーバー７は、本発明の蓋体に相当し、ファン４１から吐出された外装筐体２内部の空気を外部に排出する。ルーバー７は、排気口２３２に嵌合された際に、上記係止部６によってフロントケース２Ｃに係止される。
ルーバー本体部７１と、突出部７３と、顎部７４と、切欠部７５と、を備える。
【００３０】
ルーバー本体部７１は、本発明の蓋体本体部に相当する。このルーバー本体部７１は、排気口２３２の縁部２３２Ａに沿う側面形状を有し、排気口２３２に嵌合される。
このようなルーバー本体部７１は、Ｘ方向に沿って延出し、かつ、Ｙ方向沿って等間隔に配置される複数の羽根７２を備え、それぞれの羽根の間にスリットＳＬが形成されている。
突出部７３は、ルーバー本体部７１の側面から離れる方向に突出している。具体的に、突出部７３は、ルーバー７が排気口２３２に嵌合された状態（以下、嵌合状態とも称する）において、外装筐体２の正面部２３の中心側に位置する側面に設けられている。突出部７３の正面７３Ｂは、嵌合状態において、係止部６の当接部６４に当接される。
また、突出部７３の背面側には、突出部７３の突出方向に向かって、突出部７３の前後方向の厚み（Ｚ方向の厚み）が小さくなるように傾斜した傾斜面７３Ａが設けられている。傾斜面７３Ａは、本発明の押圧部に相当し、ルーバー７が排気口２３２に嵌合される際に、係止部６の当接部６４の傾斜面６４１Ａに接触し、当該傾斜面６４１Ａを押圧する。
【００３１】
顎部７４は、ルーバー７における突出部７３とは反対側の側面から突出するように一対並設されている。これら顎部７４の正面は、ルーバー７の嵌合状態において、外装筐体２の内面で、かつ、排気口２３２の端縁近傍の位置に当接される。
切欠部７５は、ルーバー本体部７１の背面側に、ルーバー本体部７１の外周から内側に向かって設けられた溝である。切欠部７５は、スリットＳＬの１つに接続されている。
【００３２】
［プロジェクターの組立］
上述のように構成されたプロジェクター１は、以下に説明するような手順で組み立てられる。
まず、光学ユニット３及び冷却装置４等を収納したロアーケース２Ｂの上方から、アッパーケース２Ａを配置し、正面からフロントケース２Ｃを配置する。これよりアッパーケース２Ａ、ロアーケース２Ｂ及びフロントケース２Ｃ、すなわち各部分筐体が組み立てられた組立状態となる。
この組立状態で、図３〜図５に示したように、固定部５Ａ〜固定部５Ｄのそれぞれにおけるねじ止めによって、これら各部分筐体が固定される。その後、ルーバー７が排気口２３２に取り付けられる。ルーバー７の排気口２３２への取り付けは、以下のように行われる。
【００３３】
まず、顎部７４が設けられたルーバー７の外側の部位を、排気口２３２に挿入する。このとき、一対の顎部７４が、外装筐体２の内部に当接するように挿入する。
次に、突出部７３が設けられたルーバー７の内側の部位を、排気口２３２に挿入する。この際に、排気口２３２へのルーバー７の嵌合状態において、突起部６５と切欠部７５とが位置合わせされた状態で、ルーバー７を排気口２３２に挿入する。ルーバー７が挿入されると、ルーバー７側の突出部７３の傾斜面７３Ａによって、係止部６側の当接部６４の傾斜面６４１Ａが押圧される。これにより、レバー６１の移動端６１Ａが退避方向（Ｍ方向とは反対方向）に移動され、当接部６４及び突起部６５が排気口２３２から退避される。
【００３４】
図８は、ルーバー７が装着された正面部２３を、図７のVIII−VIII線で切断した断面を示す断面図である。
ルーバー７が排気口２３２に嵌合されると、付勢部材６６の付勢力によって、レバー６１の移動端６１Ａが、矢印Ｍ方向に移動される。これにより、当接部６４及び突起部６５が、正面側から見て、排気口２３２を介して外部に露出する位置まで移動する（図４〜図７参照）。そして、当接部６４の背面が、突出部７３の正面７３Ｂに当接されるとともに、突起部６５が切欠部７５に挿入される（図７及び図８参照）。このようにして、ルーバー７が外装筐体２に対して係止される。なお、レバー６１の回動量は、レバー６１が排気口２３２から露出せず、かつ、当接部６４及び突起部６５が排気口２３２から露出するように、規制溝６１１によって規制されている。
【００３５】
また、嵌合状態において、突起部６５は、その先端部が、切欠部７５と接続されるスリットＳＬ内部に位置し、当該スリットＳＬ内に露出している。従って、当該スリットＳＬに、棒状の工具（不図示）等を挿入し、突起部６５を押圧して、付勢部材６６の付勢力に逆らい、レバー６１を退避方向に移動させることができる。これにより、係止部６による係止を解除し、ルーバー７を排気口２３２から取り外すことができる。
【００３６】
以上、右側の排気口２３２と、その周囲に設けられた固定部５Ａ〜５Ｄ及び係止部６と、当該排気口２３２に取り付けられるルーバー７とについて説明した。なお、プロジェクター１では、左側の排気口２３２にも略同様に固定部５Ａ〜５Ｄ及び係止部６が設けられており、右側の排気口２３２と同様に、当該左側の排気口２３２にもルーバー７が取り付けられる。
【００３７】
以上説明した本実施形態に係るプロジェクター１によれば、以下の効果がある。
プロジェクター１は、外装筐体２を構成するアッパーケース２Ａ、ロアーケース２Ｂ及びフロントケース２Ｃ（すなわち、複数の部分筐体）を固定するための固定部５Ａ〜５Ｄが、外装筐体２の内部かつ、排気口２３２から露出する位置に設けられている。また、排気口２３２には、ルーバー７が取り付けられる。
これによれば、排気口２３２にルーバー７を取り付けた場合に、固定部５Ａ〜５Ｄを外装筐体２の外部から容易に視認できないようにすることができる。従って、プロジェクター１の外観を良好にできる。
また、空気を流通させるスリットＳＬを有するルーバー７を、排気口２３２を閉塞する部材として使用することにより、当該部材を別途用意する必要がない。従って、部品点数の増大を抑制できる。
【００３８】
また、排気口２３２は、外装筐体２の正面部２３に設けられている。
これにより、部分筐体同士を固定する際に、ねじ止め固定を行うためにねじを挿入する挿入孔が下面側に設けられている場合のように、プロジェクター１を上下反転させる必要がない。すなわち、通常の配置状態のまま、排気口２３２に各種冶具や工具を挿入して、部分筐体同士をねじ止めする組立作業を行うことができる。従って、プロジェクターの組立作業を容易に行うことができる。更に、プロジェクター１の反転といった作業を行うことがないので、作業効率を向上させることができる。特に、大型のプロジェクター等の、反転作業が困難なプロジェクターの組み立ての際に上記効果が顕著である。
【００３９】
また、係止部６が、外装筐体２の内部に設けられ、ルーバー７を外装筐体２に対して係止している。
これにより、ルーバー７が外装筐体２に対して係止されているので、ルーバー７の脱落を抑制できる。
更に、係止部６も、固定部５Ａ〜固定部５Ｄと同様に、外装筐体２の内部に設けられているので、係止部６を外装筐体２の外部から容易に視認できないようにすることができる。従って、プロジェクター１の外観を良好にできる。
【００４０】
また、係止部６は、回転軸６２に軸支されたレバー６１が回動することで、レバー６１の移動端６１Ａが付勢部材６６による付勢方向に移動可能に構成されている。
このような構成では、ルーバー７を取り付ける場合には、レバー６１に設けられた当接部６４の傾斜面６４１Ａが、突出部７３の傾斜面７３Ａにより押圧され、レバー６１が付勢部材６６による付勢力に抗して、退避方向に移動する。これにより、排気口２３２にルーバー７を取り付けることができる。ルーバー７が取り付けられた状態では、当接部６４の背面が、突出部７３の正面７３Ｂに当接して、ルーバー７を係止するので、ルーバー７の脱落を抑制できる。一方、排気口２３２からルーバー７を取り外す場合には、レバー６１を退避方向に移動させて当接部６４を退避させることにより、ルーバー７を排気口２３２から取り外すことができる。従って、ルーバー７の着脱を確実に実施できる。
【００４１】
また、ルーバー７を排気口２３２に取り付ける際に、ルーバー７に設けられた切欠部７５の位置を、係止部６の突起部６５の位置に合わせることで、突起部６５が切欠部７５に挿入される。これにより、ルーバー７を外装筐体２に対して位置合わせでき、より適切かつ容易にルーバー７を外装筐体２に対して係止できる。
また、排気口２３２に取り付けられたルーバー７が回転することを抑制できる。これにより、ルーバー７の突出部７３が、係止部６の当接部６４に当接しない位置に移動することを抑制でき、ルーバー７の脱落を抑制できる。
【００４２】
また、切欠部７５は、スリットＳＬの１つと接続しており、嵌合状態において、スリットＳＬの内部に係止部６の突起部６５が位置している。従って、スリットＳＬに棒状の部材を挿入し、切欠部７５に挿入された突起部６５を退避方向に押圧して、レバー６１を退避方向に移動させることができる。これにより、係止部６によるルーバー７の係止を容易に解除でき、排気口２３２に嵌合されたルーバー７を容易に取り外すことができる。
【００４３】
また、ルーバー７は、嵌合状態において、突出部７３によって係止部６の当接部６４に当接するとともに、顎部７４によって外装筐体２の内壁に当接している。これにより、ルーバー７が排気口２３２から脱落することをより効果的に抑制できる他、てこの原理により、ルーバー７の着脱を容易に実施できる。
【００４４】
また、係止部６を排気口２３２の周囲に設け、排気口２３２に嵌合されるルーバー７を着脱可能としている。
ところで、外装筐体２の内部で、かつ吸気口の周辺には、外部の空気に含まれる塵等を取り除くフィルターが配置されるのが一般的である。すなわち、吸気口の周囲には、吸気口に設けられた蓋体の着脱機構や、フィルターが設けられている。従って、吸気口の周囲に固定部５Ａ〜５Ｄを設けるためのスペースを確保しようとすると、プロジェクター１が大型化するおそれがある。また、デザイン上の制約からスペースの確保が困難な可能性もある。
これに対して、上記プロジェクター１では、排気口２３２に嵌合されるルーバー７を着脱可能に構成し、排気口２３２の周囲に固定部５Ａ〜５Ｄ及び係止部６を設けている。これにより、上記スペースの確保が容易であり、プロジェクター１の大型化を抑制できる。
また、フィルター交換が実施される吸気口に取り付けられる蓋体に対して、排気口２３２に取り付けられるルーバー７が着脱される頻度は低い。従って、係止部６が排気口２３２に取り付けられる場合、ルーバー７の取り外しのために、係止部６を操作する頻度が低い。このため、係止部６を、操作性よりも外観を優先した構成とすることができる。従って、外装筐体２の外部から見て、係止部６が目立たない構成とでき、より良好な外観を得られる。
【００４５】
［実施形態の変形］
本発明は、前記実施形態に限定されるものではなく、本発明の目的を達成できる範囲での変形、改良等は本発明に含まれるものである。
前記実施形態では、ルーバー７が排気口２３２に着脱可能に取り付けられる構成としたが、これに限らない。すなわち、吸気用の開口部の周囲に固定部５Ａ〜５Ｄ及び係止部６を設け、吸気用の開口部に設けられた蓋体を着脱可能に構成してもよい。なお、前記実施形態のように、排気口２３２に設ける方が好ましい。更に、ルーバー７が着脱可能に構成されていなくてもよい。
前記実施形態では、排気口２３２に対向してファン４１を設けるとしたが、これに限らす、ファン４１を設けない構成としてもよい。
【００４６】
前記実施形態では、外装筐体２は、アッパーケース２Ａ、ロアーケース２Ｂ及びフロントケース２Ｃの３つの部分筐体を備えるとしたが、これに限らず、２つ又は４以上の部分筐体を備える構成としてもよい。例えば、外装筐体が、アッパーケース及びロアーケースからなり、本発明の開口部が、各ケースの一方に形成されている構成、又は、各ケースの両方に跨って形成されている構成としてもよい。
【００４７】
前記実施形態では、ルーバー７が取り付けられる排気口２３２が、外装筐体２の正面部２３に設けられる構成としたが、これに限らない。すなわち、本発明の開口部は、正面部、側面部、背面部及び上面部の少なくともいずれかに設けられるように構成してもよい。更に、開口部が、下面部に設けられている構成としてもよい。
【００４８】
前記実施形態では、固定部５Ａ〜５Ｄにより、外装筐体２を構成する各部分筐体の全てを固定する構成としたが、これに限らず、固定部が少なくとも２つの部分筐体を固定する構成としてもよい。
また、前記実施形態では、排気口２３２のそれぞれに、４つの固定部を設ける構成としたが、これに限らず、固定部の数は、３つ以下でもよいし、５つ以上でもよい。
また、前記実施形態では、固定部は、ねじ止めによる固定を行う構成としたが、これに限らない。固定部は、部分筐体同士を固定可能であればよく、例えば、クリップ等の挟持部材で部分筐体同士を挟持して固定する構成とされてもよい。
【００４９】
前記実施形態では、ルーバー７に切欠部７５を、係止部６に突起部６５を設ける構成としたが、これに限らない。具体的には、切欠部７５及び突起部６５を設けず、ルーバー７の側面と、排気口２３２の縁部２３２Ａとの一方に凸部を、他方に凹部を形成し、凹部と凸部とを嵌合させる構成としてもよい。このように構成した場合でも、前記実施形態と同様に、ルーバー７の位置合わせを行うことができる。また、ルーバー７の回転を抑制でき、ルーバー７の脱落を抑制できる。
【００５０】
前記実施形態では、係止部６は、回転軸６２によって軸支されたレバー６１が回動することで、当接部６４及び突起部６５が退避方向及びその逆方向に移動する構成としたが、これに限らない。すなわち、当接部６４及び突起部６５を退避方向に移動させる移動機構を備える他の構成としてもよい。例えば、レバー６１を退避方向に移動させるガイドを、フロントケース２Ｃの背面に設ける構成を採用してもよい。
また、前記実施形態では、係止部６は、ルーバー７に設ける構成としてもよい。また、前記実施形態では、係止部６を備える構成としたが、これに限らず、係止部６を
設けない構成としてもよい。
【００５１】
前記実施形態において、プロジェクター１は、３つの液晶パネル３４１を備える構成としたが、本発明はこれに限らない。すなわち、２つ以下、あるいは、４つ以上の液晶パネルを用いたプロジェクターにも、本発明を適用可能である。
前記実施形態において、光学ユニットは、図２に示した形状を有する構成としたが、本発明はこれに限らず、例えば、平面視略Ｌ字形状や平面視略Ｕ字形状を有した構成を採用してもよい。
【００５２】
前記実施形態において、光変調装置としては、透過型の液晶パネルの他、反射型の液晶パネルを採用してもよい。また、光束を画像情報に応じて変調して画像を形成する光変調装置であれば、マイクロミラーを用いたデバイス、例えば、ＤＭＤ（Digital Micromirror Device）等を利用したものなど、液晶以外の光変調装置を用いてもよい。
前記実施形態では、画像の投射方向と、当該画像の観察方向とが略同じであるフロントタイプのプロジェクターを例示したが、本発明はこれに限らない。例えば、投射方向と観察方向とがそれぞれ反対方向となる、リアタイプのプロジェクターにも適用可能である。
【符号の説明】
【００５３】
１…プロジェクター、２…外装筐体、２１…上面部、２２…下面部、２３…正面部、２３２…排気口、５Ａ，５Ｂ，５Ｃ，５Ｄ…固定部、６…係止部、６１…レバー、６４…当接部、６４１Ａ…傾斜面、６５…突起部、６６…付勢部材、７…ルーバー、７１…ルーバー本体部、７３…突出部、７３Ａ…傾斜面、７４…顎部、７５…切欠部、ＳＬ…スリット。
【図１】
2014235393.tif 000003
【図２】
2014235393.tif 000004
【図３】
2014235393.tif 000005
【図４】
2014235393.tif 000006
【図５】
2014235393.tif 000007
【図６】
2014235393.tif 000008
【図７】
2014235393.tif 000009
【図８】
2014235393.tif 000010